(57)【要約】【課題】目に見えない人感センサの検知範囲の装置本体からの相対位置の確認と、調節を容易にできるようにし、人感センサを利用した装置の制御動作をユーザの意図する状態に調整すること。【解決手段】画像処理装置１のＣＰＵ１０５は、外部の装置（端末装置２）のリモート操作画面に、人感センサ部１０３の検知範囲を画像処理装置１からの相対位置で示す情報を表示させ、該リモート操作画面から人感センサ部１０３の検知範囲を変更する設定を受け付け（人感センサ部１０３の各人感センサの有効／無効、人感センサ部１０３の向きの変更設定を受け付け）、人感センサ部１０３が前記設定変更された検知範囲で物体の存在を検知した場合に画像処理装置１の電力状態を切り替える。【選択図】図１
2014109723.tif 000002
【特許請求の範囲】
【請求項１】
画像処理装置であって、
物体を検知する検知手段と、
前記検知手段の検知範囲を示す設定情報を記憶する記憶手段と、
前記記憶手段に記憶される設定情報に基づく前記検知手段の検知範囲を前記画像処理装置からの相対位置で示す情報を含む表示情報を生成し、該生成した表示情報を、外部装置に表示させるために、前記外部装置に送信する送信手段と、
前記検知手段の検知範囲を変更する指示を前記外部装置から受信する受信手段と、
前記受信手段が受信した指示に基づいて前記記憶手段に記憶される設定情報を更新する更新手段と、
前記設定情報に基づく検知範囲での前記検知手段の検知状態に応じて、前記画像処理装置の動作を制御する制御手段と、
を有することを特徴とする画像処理装置。
【請求項２】
前記検知手段は、物体を複数の領域毎に検知し該領域毎の検知結果を取得可能であり、
前記送信手段が送信する前記表示情報は、前記検知手段が物体を検知している領域と物体を検知していない領域とを領域毎に区別して示す情報も含むことを特徴とする請求項１に記載の画像処理装置。
【請求項３】
前記検知手段を領域毎に有効又は無効に設定することで前記検知手段の検知範囲を変更することを特徴とする請求項２に記載の画像処理装置。
【請求項４】
前記検知手段の向きを変更することで前記検知手段の検知範囲を変更することを特徴とする請求項１乃至３のいずれか１項に記載の画像処理装置。
【請求項５】
前記制御手段は、前記設定情報に基づく検知範囲での前記検知手段の検知状態に応じて、前記画像処理装置の電力状態を切り替えることを特徴とする請求項１乃至４のいずれか１項に記載の画像処理装置。
【請求項６】
前記記憶手段に記憶される前記設定情報は、前記検知手段の領域毎に、前記検知状態に応じて実行する動作を設定する情報を含むものであり、
前記送信手段が送信する前記表示情報は、前記記憶手段に記憶される設定情報に基づいて領域毎に設定された前記動作の設定を領域毎に示す情報も含み、
前記受信手段は、前記検知手段の領域毎の前記動作の設定を変更する指示を前記外部装置から受信し、
前記制御手段は、前記設定情報に基づく検知範囲における検知状態が特定の状態となっている領域に設定された前記動作を行うことを特徴とする請求項２乃至５のいずれか１項に記載の画像処理装置。
【請求項７】
前記制御手段は、前記検知手段が前記設定情報に基づく検知範囲で物体を検知した場合、前記画像処理装置の動作を制御することを特徴とする請求項１乃至６のいずれか１項に記載の画像処理装置。
【請求項８】
前記画像処理装置は、少なくとも第１電力状態、前記第１電力状態より消費電力の小さい第２電力状態、前記第２電力状態に加えて前記画像処理装置の特定部分に電力を供給し前記第１電力状態より消費電力の小さい第３電力状態を切り替え可能なものであり、
前記動作の設定として、前記第２電力状態から前記第１電力状態に切り替える第１動作を行う第１動作設定、又は、前記第２電力状態から前記第３電力状態に切り替える第２動作を行う第２動作設定の設定が可能であり、
前記制御手段は、前記設定情報に基づく検知範囲のうち前記第１動作設定が設定された領域で物体の存在を検知した場合には前記第１動作を実行し、前記設定情報に基づく検知範囲のうち前記第２動作設定が設定された領域で物体の存在を検知した場合には前記第２動作を実行することを特徴とする請求項６に記載の画像処理装置。
【請求項９】
前記第３電力状態は、前記第２電力状態に加えて前記画像処理装置の操作部に電力を供給する電力状態であることを特徴とする請求項８に記載の画像処理装置。
【請求項１０】
前記検知手段は、検知する領域の異なる複数のセンサにより構成されていることを特徴とする請求項１乃至９のいずれか１項に記載の画像処理装置。
【請求項１１】
電子機器であって、
物体を検知する検知手段と、
前記検知手段の検知範囲を示す設定情報を記憶する記憶手段と、
前記記憶手段に記憶される設定情報に基づく前記検知手段の検知範囲を前記電子機器からの相対位置で示す情報を含む表示情報を生成し、該生成した表示情報を、外部装置に表示させるために、前記外部装置に送信する送信手段と、
前記検知手段の検知範囲を変更する指示を前記外部装置から受信する受信手段と、
前記受信手段が受信した指示に基づいて前記記憶手段に記憶される設定情報を更新する更新手段と、
前記設定情報に基づく検知範囲での前記検知手段の検知状態に応じて、前記電子機器の動作を制御する制御手段と、
を有することを特徴とする電子機器。
【請求項１２】
物体を検知する検知手段を有する画像処理装置の制御方法であって、
送信手段が、前記検知手段の検知範囲を示す設定情報を記憶する記憶手段に記憶される前記設定情報に基づく前記検知手段の検知範囲を前記画像処理装置からの相対位置で示す情報を含む表示情報を生成し、該生成した表示情報を、外部装置に表示させるために、前記外部装置に送信する送信ステップと、
受信手段が、前記検知手段の検知範囲を変更する指示を前記外部装置から受信する受信ステップと、
更新手段が、前記受信ステップで受信した指示に基づいて前記記憶手段に記憶される設定情報を更新する更新ステップと、
制御手段が、前記設定情報に基づく検知範囲での前記検知手段の検知状態に応じて、前記画像処理装置の動作を制御するステップと、
を有することを特徴とする画像処理装置の制御方法。
【請求項１３】
物体を検知する検知手段を有する電子機器の制御方法であって、
送信手段が、前記検知手段の検知範囲を示す設定情報を記憶する記憶手段に記憶される前記設定情報に基づく前記検知手段の検知範囲を前記電子機器からの相対位置で示す情報を含む表示情報を生成し、該生成した表示情報を、外部装置に表示させるために、前記外部装置に送信する送信ステップと、
受信手段が、前記検知手段の検知範囲を変更する指示を前記外部装置から受信する受信ステップと、
更新手段が、前記受信ステップで受信した指示に基づいて前記記憶手段に記憶される設定情報を更新する更新ステップと、
制御手段が、前記設定情報に基づく検知範囲での前記検知手段の検知状態に応じて、前記電子機器の動作を制御するステップと、
を有することを特徴とする電子機器の制御方法。
【請求項１４】
コンピュータに、請求項１２に記載された画像処理装置の制御方法を実行させるためのプログラム。
【請求項１５】
コンピュータに、請求項１３に記載された電子機器の制御方法を実行させるためのプログラム。
【発明の詳細な説明】
【技術分野】
【０００１】
本発明は、人感センサを利用した装置の制御に関するものである。
【背景技術】
【０００２】
従来、画像処理装置等の電子機器には、装置に内蔵された人感センサからの情報を用いて近隣のユーザの存在を検知して、装置の制御を行うものがある。代表的な制御として、画像処理装置が通常の動作モードの他に消費電力を低減する省電力モードを持つ場合に、省電力モード中にユーザが人感センサの検知範囲に入ったときに、省電力モードから通常の動作モードに復帰するものがある（特許文献１参照）。
【先行技術文献】
【特許文献】
【０００３】
【特許文献１】特開平１１−２０２６９０号公報
【発明の概要】
【発明が解決しようとする課題】
【０００４】
しかし、画像処理装置の設置場所や設置方向によって、画像処理装置に内蔵された人感センサの検知範囲が変わってしまう。そのため、その検知範囲によっては、人感センサを利用した制御動作が、ユーザの意図に合わなくなってしまう場合がある。例えば、装置を利用したいユーザが装置に近づいても検知されなかったり、逆に、装置の傍を通っただけの人を頻繁に検知してしまったりする場合がある。
【０００５】
さらに、人感センサの検知範囲は、目に見えないために、ユーザはそのような状態であることに気付くことが困難である。
もし仮に、そのような状態に気付き、人感センサを利用した制御動作がユーザの意図に合うものとなるように画像処理装置の設置場所や設置方向を調節しようとしても、人感センサの検知範囲は目に見えないため、調整は極めて困難である。
【０００６】
本発明は、上記の問題点を解決するためになされたものである。本発明の目的は、目視では直接確認できない人感センサの検知範囲の装置本体からの相対位置の確認と、調節を容易にできるようにし、人感センサを利用した装置の制御動作をユーザの意図する状態に調整可能にする仕組みを提供することである。
【課題を解決するための手段】
【０００７】
本発明は、画像処理装置であって、物体を検知する検知手段と、前記検知手段の検知範囲を示す設定情報を記憶する記憶手段と、前記記憶手段に記憶される設定情報に基づく前記検知手段の検知範囲を前記画像処理装置からの相対位置で示す情報を含む表示情報を生成し、該生成した表示情報を、外部装置に表示させるために、前記外部装置に送信する送信手段と、前記検知手段の検知範囲を変更する指示を前記外部装置から受信する受信手段と、前記受信手段が受信した指示に基づいて前記記憶手段に記憶される設定情報を更新する更新手段と、前記設定情報に基づく検知範囲での前記検知手段の検知状態に応じて、前記画像処理装置の動作を制御する制御手段と、を有することを特徴とする。
【発明の効果】
【０００８】
本発明によれば、目視では直接確認できない人感センサの検知範囲の装置本体からの相対位置の確認と、調節を容易にできるようにし、人感センサを利用した装置の制御動作をユーザの意図する状態に調整することができる。
【図面の簡単な説明】
【０００９】
【図１】本発明の電子機器の一実施例を示す画像処理装置の構成の一例を示すブロック図である。
【図２】端末装置２の構成の一例を示すブロック図である。
【図３】画像処理装置１と周囲のユーザとの位置関係、及び人感センサ部１０３の検知範囲を示した模式図である。
【図４】端末装置２で画像処理装置１をリモート操作する場合に表示・操作部２０２に表示される画面の一例を示す図である。
【図５】端末装置２で画像処理装置１をリモート操作するときに表示・操作部２０２に表示される画面の一例を示す図である。
【図６】人感センサ画面Ｄ４３における画像処理装置１のフローチャートである。
【図７】設定変更画面Ｄ４４における画像処理装置１のフローチャートである。
【発明を実施するための形態】
【００１０】
以下、本発明を実施するための形態について図面を用いて説明する。なお、本実施例では、本発明を適用可能な電子機器の一例として画像処理装置を用いて説明する。
図１は、本発明の電子機器の一実施例を示す画像処理装置の構成の一例を示すブロック図である。
図１に示すように、画像処理装置１は、画像読み取り部１０１、ネットワークインタフェース部１０２、人感センサ部１０３、表示・操作部１０４、ＣＰＵ１０５、メモリ１０６、ＨＤＤ１０７、画像印刷部１０８、データバス１０９、電源制御部１１０を有する。
【００１１】
画像読み取り部１０１は、ＣＰＵ１０５の制御により動作し、図示しない原稿台にユーザがセットされた原稿をスキャンして画像データを生成し、データバス１０９を介してメモリ１０６に送信する。
【００１２】
ネットワークインタフェース部１０２は、ＣＰＵ１０５の制御により動作し、データバス１０９を介して、メモリ１０６に格納されているデータを読み出して画像処理装置１外部のＬＡＮに対して送信する。また、ネットワークインタフェース部１０２は、画像処理装置１外部のＬＡＮから受信したデータを、データバス１０９を介してメモリ１０６に格納する。例えば、画像処理装置１は、ネットワークインタフェース部１０２を介して、後述する図２に示す端末装置２と通信可能である。
【００１３】
人感センサ部１０３は、画像処理装置１の周囲の物体を検知するための焦電センサなどに代表されるセンサ（人感センサ）を複数備えるものである。また、人感センサ部１０３が検知する物体は、静止体であっても移動体であってもよい。本実施例では、人感センサ部１０３が検知する物体を人体として説明するが、人感センサ部１０３が検知する物体は人体に限定されるものではない。本実施例では、人感センサ部１０３は、画像処理装置１の周囲のユーザを検知するための焦電センサなどに代表される人感センサを複数備えるものである。人感センサ部１０３は、ＣＰＵ１０５の制御により各人感センサの検出情報をＣＰＵ１０５に対して送信する。即ち、ＣＰＵ１０５は、人感センサ部１０３より、人感センサ部１０３が備える複数のセンサに対応する領域毎の検知結果を取得可能である。また、人感センサ部１０３は、ＣＰＵ１０５からの制御により、不図示の駆動部を駆動して人感センサの向きを変えることでその検知範囲を変更することができる。
なお、焦電センサは、物体の存在を赤外線量等から検知可能なものである。焦電センサはパッシブ型の人感センサで、人体等の温度を持つ物体から自然に放射されている赤外線による温度変化を検知することで物体（例えば人体）の接近を検出するものである。焦電センサは、消費電力が小さく、検知領域は比較的広いのが特徴である。なお、本実施例では、人感センサ部１０３を構成する人感センサを焦電センサとして説明するが、人感センサは、焦電センサに限定されるものではなく、他の種類の人感センサであってもよい。なお、本実施例では、人感センサ部１０３は、人感センサ（焦電センサ）をＮ×Ｎアレイ状に並べた人感アレイセンサを用いるものとする。
【００１４】
表示・操作部１０４は、表示装置（不図示）と入力装置（不図示）を有する。表示・操作部１０４は、ＣＰＵ１０５の制御により動作し、データバス１０９を介してＣＰＵ１０５から受信した情報を表示装置（不図示）に表示する。また、表示・操作部１０４は、入力装置（不図示）をユーザが操作した操作情報をＣＰＵ１０５に送信する。
【００１５】
ＣＰＵ１０５は、ＨＤＤ１０７に格納されたプログラムをメモリ１０６に読み出し、そのプログラムに従って画像処理装置１全体の制御を行う。メモリ１０６は、ＨＤＤ１０７から読み出したＣＰＵ１０５のプログラムや、画像データを格納する一時メモリである。ＨＤＤ１０７はハードディスクドライブであり、ＣＰＵ１０５のプログラムが格納してある他、後述する各種設定値や各種画面のデータ、画像データ等を格納する。ＨＤＤ１０７は、ＳＳＤ（Solid State Drive）等のフラッシュメモリであってもよい。
【００１６】
画像印刷部１０８は、ＣＰＵ１０５の制御により動作し、データバス１０９を介して受信した画像データを、図示しない印刷用紙に電子写真プロセスやインクジェット印刷方式等を用いて印刷出力する。データバス１０９は、画像データや情報の転送を行う。
【００１７】
電源制御部１１０は、外部の電源コンセントから供給される電力を画像処理装置１内部の各処理部に供給する。電源制御部１１０の内部には、電源スイッチ１１０１及び１１０２がある。電源スイッチ１１０１及び１１０２は、ＣＰＵ１０５の制御でオンまたはオフが切り換えられる電源スイッチである。これら電源スイッチ１１０１及び１１０２を使用して、画像処理装置１は、ＣＰＵ１０５の制御で消費電力の異なる複数の動作モードに移行することが可能である。
【００１８】
動作モードには例えば３種類ある。１つめの動作モードは、画像処理装置１の全ての機能が動作する「通常動作モード」（第１電力状態）である。通常動作モードは、ＣＰＵ１０５が電源制御部１１０を制御して電源スイッチ１１０１及び１１０２を両方オンにした動作モードである。
【００１９】
２つめの動作モードは、画像読み取り部１０１と表示・操作部１０４とＨＤＤ１０７と画像印刷部１０８への電力供給を停止する「スリープモード」（第２電力状態）である。スリープモードは、ＣＰＵ１０５が電源制御部１１０を制御して電源スイッチ１１０１及び１１０２を両方オフにした動作モードである。
【００２０】
３つめの動作モードは、画像読み取り部１０１と画像印刷部１０８への電力供給を停止する「操作部のみ動作モード」（第３電力状態）である。操作部のみ動作モードは、ＣＰＵ１０５が電源制御部１１０を制御して電源スイッチ１１０１をオンに、電源スイッチ１１０２をオフにした動作モードである。
【００２１】
ＣＰＵ１０５、メモリ１０６、ネットワークインタフェース部１０２、人感センサ部１０３、及び電源制御部１１０は、常時電源が供給されている。上記消費電力の異なる３つの動作モード間の遷移は、ＣＰＵ１０５が制御している。「スリープモード」から「操作部のみ動作モード」や「通常動作モード」への遷移は、ＣＰＵ１０５が、人感センサ部１０３の各センサの検出情報を使用して、後述の設定内容に応じて行う。
【００２２】
基本的には、画像印刷部１０８などへの通電が制限されているスリープモード時にも人感センサ部１０３には通電されており、ＣＰＵ１０５は、人感センサが人の存在を検知した場合に、通常動作モードに遷移して画像印刷部１０８などへの通電を開始するような制御する。なお、スリープモードから他の動作モードへの遷移をスリープ復帰動作と呼ぶ。
【００２３】
図２は、端末装置２の構成の一例を示すブロック図である。端末装置２は、例えば、パーソナルコンピュータ等の情報処理装置である。端末装置２は、ノート型パーソナルコンピュータ、タブレット型コンピュータ、スマートフォン等の携帯端末であってもよい。
【００２４】
端末装置２は、図２に示すように、ネットワークインタフェース部２０１、表示・操作部２０２、ＣＰＵ２０３、メモリ２０４、ＨＤＤ２０５、データバス２０６を有する。
ネットワークインタフェース部２０１は、ＣＰＵ２０３の制御により動作し、データバス２０６を介してメモリ２０４に格納されているデータを読み出して、端末装置２外部のＬＡＮに対して送信する。また、ネットワークインタフェース部２０１は、端末装置２外部のＬＡＮから受信したデータを、データバス２０６を介してメモリ２０４に格納する。例えば、端末装置２は、ネットワークインタフェース部２０１を介して、図１に示した画像処理装置１と通信可能である。
【００２５】
表示・操作部２０２は、ＣＰＵ２０３の制御により動作し、データバス２０６を介してＣＰＵ２０３から受信した情報を、図示しない表示装置（ディスプレイ）に表示する。また、表示・操作部２０２は、図示しない入力装置（例えば、キーボード、ポインティングデバイス、タッチパネル）をユーザが操作した操作情報を、ＣＰＵ２０３に送信する。
【００２６】
ＣＰＵ２０３は、ＨＤＤ２０５に格納されたプログラムをメモリ２０４に読み出し、そのプログラムに従って端末装置２全体の制御を行う。メモリ２０４は、ＨＤＤ２０５から読み出したＣＰＵ２０３のプログラムを格納したり、ＬＡＮから受信したデータを格納する一時メモリである。ＨＤＤ２０５はハードディスクドライブであり、ＣＰＵ２０３のプログラムが格納してある他、各種データ等を格納する。ＨＤＤ２０５は、ＳＳＤ（Solid State Drive）等のフラッシュメモリであってもよい。２０６はデータバスであり、データの転送を行う。
【００２７】
端末装置２は、ＣＰＵ２０３の制御によってＬＡＮを介して画像処理装置１と通信を行い、画像処理装置１のリモート操作を行うことができる。ここで、リモート操作とは、表示・操作部２０２に画像処理装置１から受信した情報を表示し、また、表示・操作部２０２に入力された操作内容を画像処理装置１に対して送信して、端末装置２から画像処理装置１を操作することを指している。
【００２８】
リモート操作の動作は、画像処理装置１のＣＰＵ１０５と端末装置２のＣＰＵ２０３それぞれの制御が連携することで実現しているが、その手順は以下である。
端末装置２において、ＣＰＵ２０３は、ネットワークインタフェース部２０１を介してＬＡＮに接続された画像処理装置１へリモート操作接続要求信号を送信する。画像処理装置１のＣＰＵ１０５は、端末装置２から送信されたリモート操作接続要求信号を、ネットワークインタフェース部１０２を介して受信する。ＣＰＵ１０５は、リモート操作の表示と操作に必要な情報を、ネットワークインタフェース部１０２を介してＬＡＮに接続された端末装置２へ送信する。端末装置２のＣＰＵ２０３は、リモート操作の表示と操作に必要な情報を、ネットワークインタフェース部２０１を介して受信する。端末装置２のＣＰＵ２０３は、リモート操作の表示と操作に必要な情報に基づいて、操作画面を表示・操作部２０２に表示し、ユーザからの操作を受け付ける。ユーザ操作がかると、端末装置２のＣＰＵ２０３は、表示・操作部２０２に対するユーザによる操作内容を示す信号を、ネットワークインタフェース部２０１を介してＬＡＮに接続された画像処理装置１へ送信する。画像処理装置１のＣＰＵ１０５は、端末装置２から送信された信号を、ネットワークインタフェース部１０２を介して受信する。端末装置２のＣＰＵ２０３と画像処理装置１のＣＰＵ１０５は、このようなＬＡＮを介した情報のやり取りを繰り返し行うことで、リモート操作を実現している。
【００２９】
図３は、画像処理装置１と周囲のユーザとの位置関係、及び人感センサ部１０３の検知範囲を示した模式図であり、画像処理装置１とその周囲を上から見下ろした俯瞰図で表現してある。なお、図１、図２と同一のものには同一の符号を付してある。
【００３０】
図３（Ａ）は、画像処理装置１、及び端末装置２を使用しているユーザ３の位置関係を示す。
図３（Ｂ）は、図３（Ａ）の状態において、人感センサ部１０３による人感検知範囲を複数の台形で表したものであり、各台形は人感センサ部１０３の複数の焦電センサそれぞれの検知範囲を示している。
人感センサ部１０３の複数の焦電センサは、この図に示すように、それぞれが近接した異なる範囲を検知できるように画像処理装置１の周囲に斜め下向きに取り付けられている。図中の斜線付の台形は、その台形に対応する焦電センサがユーザを検知していることを表している。
【００３１】
図３（Ｃ）は、画像処理装置１、及び端末装置２を使用しているユーザ３の位置関係を示す。
図３（Ｄ）は、図３（Ｃ）の状態において、人感センサ部１０３による人感検知範囲を複数の台形で表したものである。
【００３２】
図３（Ｅ）は、画像処理装置１、端末装置２を使用しているユーザ３、及び、別のユーザ４の位置関係を示す。
図３（Ｆ）は、図３（Ｅ）の状態において、人感センサ部１０３による人感検知範囲を複数の台形で表したものである。
【００３３】
なお、ユーザ３は、画像処理装置１を使用しようとしているユーザではないため、画像処理装置１がスリープモードにある場合には、人感センサ部１０３によりユーザ３が検知されても、スリープ復帰動作を行う必要はない。
また、ユーザ４は、印刷済みの用紙を取りに来ただけのユーザであるが、画像処理装置１がスリープモードにある場合には、表示・操作部１０４の表示装置に印刷状況を表示すると利便性が高まると考えられる。そのため、画像処理装置１は、人感センサ部１０３によりユーザ４が検知された場合、スリープモードから操作部のみスリープ復帰動作を行うとよい。
【００３４】
なお、本実施例では、人感センサ部１０３による人感検知範囲を複数の台形で表しているが、人感センサの検知範囲の形状と同等な形状であればよく、台形以外であってもよい。
【００３５】
図４は、端末装置２で画像処理装置１をリモート操作する場合に表示・操作部２０２に表示される画面の一例を示す図である。
図４（Ａ）は、端末装置２において、画像処理装置１のリモート操作アプリケーションを起動したときのトップ画面Ｄ４１である。４１１はコピーボタン、４１２はスキャンボタン、４１３は状態表示ボタン、４１４はプリントボタン、４１５は設定ボタンである。ユーザは、これらのボタンをクリック（タッチ等の指示でもよいが、以下「クリック」という）することで、画像処理装置１に対して各種動作の指示を出すことができる。
【００３６】
図４（Ｂ）は、トップ画面Ｄ４１（図４（Ａ））において、ユーザが状態表示ボタン４１３をクリックしたときに遷移する状態表示画面Ｄ４２である。４２１はジョブ履歴ボタン、４２２は用紙残量：トナー残量ボタン、４２３は人感センサボタン、４２４は戻るボタンである。ユーザはこれらのボタンをクリックすることで、画像処理装置１に対して各種動作の指示を出すことができる。
【００３７】
図４（Ｃ）は、状態表示画面Ｄ４２（図４（Ｂ））において、ユーザが人感センサボタン４２３をクリックしたときに遷移する人感センサ画面Ｄ４３である。４３１は人感センサ部１０３の人感検知範囲、４３２は戻るボタン、４３３は設定変更ボタンである。
【００３８】
人感検知範囲４３１は、中心に表示されている画像処理装置１（図中４３８）を上面から見た模式図を基準にして、相対的な位置がわかるような表示になっている。また、人感検知範囲４３１は、複数の台形で表してあるが、各台形は人感センサ部１０３の複数の焦電センサそれぞれの検知範囲を示している。例えば、人感センサ部１０３の各焦電センサと各台形が１対１に対応している。各台形の位置と大きさは、対応する焦電センサの検知範囲の位置と大きさを、画像処理装置１からの相対的な位置関係で表現したものとなっている。なお、図中、４３４に示すような斜線が付された台形は、その台形に対応する焦電センサがユーザを検知していることを表している。
【００３９】
また、各台形は、その台形に対応する焦電センサがユーザを検知した場合にどのようなスリープ復帰動作を行うかの設定情報を持ち、その設定情報に応じた模様（４３５、４３６、４３７等）で台形の背景が表示される。
【００４０】
スリープモードから通常動作モードに遷移する動作（第１動作）を行う設定（第１動作設定）を持つ台形は背景が白（白背景４３５）である。また、スリープモードから操作部のみ動作モードに遷移する動作（第２動作）を行う設定（第２動作設定）を持つ台形は背景が網掛け（網掛け背景４３６）である。また、ユーザを検知してもスリープ復帰動作を行わない設定（無効設定）を持つ台形は背景が黒（黒背景４３７）である。これらの背景はフルカラーで区別可能なものでもよい。
【００４１】
白背景４３５の台形が持つ設定を、「スリープ復帰有効設定」と呼ぶ。また、網掛け背景４３６の台形が持つ設定を、「操作部のみスリープ復帰有効設定」と呼ぶ。さらに、黒背景４３７の台形が持つ設定を「検知無効設定」と呼ぶ。なお、画面Ｄ４３（図４（Ｃ））は、全ての台形にスリープ復帰有効設定がなされている場合に対応する（全ての台形が白背景４３５）。
【００４２】
図４（Ｄ）は、人感センサ画面Ｄ４３（図４（Ｃ））において、ユーザが設定変更ボタン４３３をクリックしたときに遷移する設定変更画面Ｄ４４である。
設定変更画面Ｄ４４において、４４１は人感センサ部１０３の人感検知範囲ボタンである。４４２は変更キャンセルボタンである。４４３は決定ボタンである。４４４は内向きに変更ボタンである。
【００４３】
人感検知範囲ボタン４４１は、図４（Ｃ）における人感検知範囲４３１と同様に複数の台形で表してあり、斜線付きの意味と背景の意味も同じであるが、各台形はボタンになっている。各台形のボタンをクリックすることで、それに対応する焦電センサがユーザを検知したときの動作を、スリープ復帰有効設定、操作部のみスリープ復帰設定、検知無効設定の順番に切り替えることができる。なお、検知無効設定になっている台形をさらにクリックすることで、再度、スリープ復帰有効設定に切り替えることができる。
なお、図４（Ｄ）の画面Ｄ４４は、図３（Ｃ）および（Ｄ）に示した状況での検知状態を表している。
【００４４】
図４（Ｅ）は、設定変更画面Ｄ４４において、ユーザが内向きに変更ボタン４４４をクリックしたときの設定変更画面Ｄ４４である。なお、図４（Ｄ）と同一のものには同一の符号を付してある。
【００４５】
画像処理装置１のＣＰＵ１０５は、内向きに変更ボタン４４４（図４（Ｄ））がクリックされたときに、人感センサ部１０３の複数の焦電センサの向きを少し下向きに変更して検知範囲全体を内側に縮小する。ＣＰＵ１０５はその動作と共に、図４（Ｅ）に示すように、人感検知範囲ボタン４４１の形状を縮小してリモート操作画面に表示させている。
【００４６】
４５４は外向きに変更ボタンである。画像処理装置１のＣＰＵ１０５は、外向きに変更ボタン４５４（図４（Ｅ））がクリックされたときに、人感センサ部１０３の複数の焦電センサの向きを少し上向きに変更して検知範囲全体を外側に拡大する。ＣＰＵ１０５はその動作と共に、人感検知範囲ボタン４４１の形状を拡大してリモート操作画面に表示させる。
【００４７】
なお、図４では、人感センサ部１０３の複数の焦電センサの向きを少し下（上）向きに変更して検知範囲全体を内（外）側に縮小（拡大）する構成を示したが、人感センサ部１０３の複数の焦電センサの向きを、左右にも変更可能に構成してもよい。そして、左向きに変更ボタン、右向きに変更ボタンを設け、左（右）向きに変更ボタンがクリックされたときに、人感センサ部１０３の複数の焦電センサの向きを少し左（右）向きに変更して検知範囲全体を左（右）側に移動するようにしてもよい。また、複数の焦電センサの向きを、上述した上下、左右で組み合わせて変更可能にしてもよい。即ち、正面上、正面下、左上、左下、右上、右下のように変更可能にしてもよい。さらに、人感センサ部１０３の複数の焦電センサの向きを各向きにそれぞれ複数の段階で変更可能にしてもよい。即ち、人感センサ部１０３の複数の焦電センサの向きを、上下に複数段階の変更と左右に複数段階の変更とを組み合わせて変更可能にしてもよい。
【００４８】
図４（Ｆ）は、設定変更画面Ｄ４４の状態で、画像処理装置１の周囲の状況が図３（Ｅ）及び（Ｆ）に示した状況になったときの設定変更画面Ｄ４４である。なお、図４（Ｄ）、図４（Ｅ）と同一のものには同一の符号を付してある。
【００４９】
図４（Ｆ）では、人感検知範囲ボタン４４１は、白い背景の台形に斜線が付いており、図３（Ｅ）及び（Ｆ）のユーザ３及びユーザ４が検知されている。白い背景の台形は、スリープ復帰有効設定の台形であるので、この状況において画像処理装置１がスリープモードにある場合には、スリープ復帰することを示している。つまり、現在の設定では、図３（Ｅ）の説明で述べた、ユーザ３のためにスリープ復帰動作を行う必要がないことと、ユーザ４のために操作部のみスリープ復帰動作を行うとよいということに一致したスリープ復帰動作は行えない。以下、図３（Ｅ）の説明で述べたスリープ復帰動作を実現するための設定操作を説明する。
【００５０】
図５は、端末装置２で画像処理装置１をリモート操作するときに表示・操作部２０２に表示される画面の一例を示す図である。
図５（Ａ）は、図４（Ｆ）における設定変更画面Ｄ４４の状態で、図３（Ｅ）及び図３（Ｆ）におけるユーザ３が検知され得る焦電センサに対応する各台形ボタンを２回ずつクリックして、黒い背景の「検知無効設定」の台形に変更した設定変更画面Ｄ４４である。
【００５１】
図５（Ｂ）は、図５（Ａ）における設定変更画面Ｄ４４の状態で、図３（Ｅ）及び図３（Ｆ）におけるユーザ４が検知され得る焦電センサに対応する各台形ボタンを１回ずつクリックして、網掛け背景の「操作部のみスリープ復帰設定」の台形に変更した設定変更画面Ｄ４４である。
【００５２】
図５（Ｃ）は、図５（Ｂ）における設定変更画面Ｄ４４の状態で、決定ボタン４４３をクリックして、各台形のスリープ復帰動作設定を確定させたときに遷移する人感センサ画面Ｄ４３である。
【００５３】
図５（Ｃ）の画面Ｄ４３においては、背景が白の台形の他に、背景が黒の台形、背景が網掛けの台形が存在し、図３（Ｅ）及び（Ｆ）のユーザ３が検知される状況において、スリープモードから復帰しないことがわかる。また、図３（Ｅ）及び（Ｆ）のユーザ４が検知される状況において、スリープモードから操作部のみスリープ復帰することがわかる。
【００５４】
なお、人感センサ部１０３の複数の焦電センサの向き設定と、各焦電センサのスリープ復帰動作設定の情報は、ＣＰＵ１０５の制御により、ＨＤＤ１０７に記録されるものとする。
【００５５】
以下、図６を用いて、人感センサ画面のフローチャートについて説明する。
図６は、図４（Ｃ）及び図５（Ｃ）に示した人感センサ画面Ｄ４３における画像処理装置１のフローチャートである。なお、このフローチャートは、人感センサ部１０３の各焦電センサの検知範囲を画像処理装置１からの相対的な位置で示す人感センサ画面を、画像処理装置１のＣＰＵ１０５が生成する手順を表している。図中、Ｓ６０１〜Ｓ６０９は各ステップを示す。このフローチャートの処理は、ＣＰＵ１０５がＨＤＤ１０７にコンピュータ読み取り可能に記録されたプログラムを読み出して実行することにより実現されるものである。
【００５６】
画像処理装置１のＣＰＵ１０５は、図４（Ｂ）に示した状態表示画面Ｄ４２において、人感センサボタン４２３がクリック（指示）されたことを端末装置２から受信すると、図６のＳ６０１に処理を進める。
【００５７】
Ｓ６０１では、ＣＰＵ１０５は、ＨＤＤ１０７に記録されている焦電センサの向き設定の読み出しを行い、Ｓ６０２に処理を進める。
Ｓ６０２では、ＣＰＵ１０５は、ＨＤＤ１０７に記録されている各焦電センサのスリープ復帰動作設定の読み出しを行い、Ｓ６０３に処理を進める。
【００５８】
Ｓ６０３では、ＣＰＵ１０５は、人感センサ部１０３から各焦電センサの検知状態の読み出しを行い、Ｓ６０４に処理を進める。
Ｓ６０４では、ＣＰＵ１０５は、ＨＤＤ１０７に記録されている台形画像の中から、焦電センサの向き、スリープ復帰動作設定、及び検知状態に応じた台形画像の読み出しを行い、Ｓ６０５に処理を進める。
【００５９】
Ｓ６０５では、ＣＰＵ１０５は、ＨＤＤ１０７に記録されている画像処理装置とボタン類を含む人感センサ画面基本画像の読み出しを行い、上記Ｓ６０４で読み出した台形画像と合成した画像を生成して、Ｓ６０６に処理を進める。なお、ここで生成した合成画像は、人感センサ部１０３の検知範囲を画像処理装置１からの相対位置で示す情報、人感センサ部１０３の領域毎に人を検知している領域と人を検知していない領域とを区別して示す情報、人感センサ部１０３の領域毎に、人の存在を検知した場合に実行する動作を設定する情報等を含む表示情報である。
【００６０】
Ｓ６０６では、ＣＰＵ１０５は、上記Ｓ６０５で生成した合成画像を、ネットワークインタフェース部１０２とＬＡＮを介して、端末装置２に対して送信し、Ｓ６０７に処理を進める。これを受信した端末装置２は、図４（Ｃ）に示したような人感センサ画面Ｄ４３を表示・操作部２０２に表示し、ユーザからの操作を受け付ける。そして、ユーザからの操作があると、端末装置２は、操作情報を画像処理装置１に送信する。
【００６１】
Ｓ６０７では、画像処理装置１のＣＰＵ１０５は、端末装置２から操作情報を受信したか判定する。
そして、端末装置２から操作情報を受信していないと判定した場合（Ｓ６０７でＮｏの間）、ＣＰＵ１０５は、Ｓ６０３に処理を進める。
【００６２】
一方、端末装置２から操作情報を受信したと判定した場合（Ｓ６０７でＹｅｓの場合）、ＣＰＵ１０５は、Ｓ６０８に処理を進める。
Ｓ６０８では、ＣＰＵ１０５は、上記Ｓ６０７で受信した操作情報が、戻るボタン４３２のクリックであるか判定する。
そして、戻るボタン４３２のクリックであると判定した場合（Ｓ６０８でＹｅｓの場合）、ＣＰＵ１０５は、図示しない状態表示画面のフローチャートへ処理を進める。
【００６３】
なお、図示しないが、状態表示画面のフローチャートでは、ＣＰＵ１０５が、ＨＤＤ１０７に記録されている状態表示画面基本画像（図４（ｂ）のＤ４２に示すような画像）の読み出しを行い、該状態表示画面基本画像を、ネットワークインタフェース部１０２とＬＡＮを介して、端末装置２に対して送信する。
【００６４】
以下、図６のフローチャートの説明に戻る。
また、上記Ｓ６０８において、戻るボタン４３２のクリックでないと判定した場合（Ｓ６０８でＮｏの場合）、ＣＰＵ１０５は、Ｓ６０９に処理を進める。
Ｓ６０９では、ＣＰＵ１０５は、上記Ｓ６０７で受信した操作情報が、設定変更ボタン４３３のクリックであるか判定する。
【００６５】
そして、設定変更ボタン４３３のクリックでないと判定した場合（Ｓ６０９でＮｏの場合）、ＣＰＵ１０５は、Ｓ６０３に処理を戻す。
一方、設定変更ボタン４３３のクリックであると判定した場合（Ｓ６０９でＹｅｓの場合）、ＣＰＵ１０５は、図７に示す設定変更画面のフローチャートへ処理を進める。
【００６６】
以下、図７を用いて、設定変更画面のフローチャートについて説明する。
図７は、図４（Ｄ）〜（Ｆ）及び図５（Ａ）〜（Ｂ）に示した設定変更画面Ｄ４４における画像処理装置１のフローチャートである。このフローチャートは、設定変更画面Ｄ４４を画像処理装置１のＣＰＵ１０５が生成する手順を表している。また、焦電センサの向きと各焦電センサのスリープ復帰動作の設定をＣＰＵ１０５が変更する手順を表している。図中、Ｓ７０１〜Ｓ７１７は各ステップを示す。このフローチャートの処理は、ＣＰＵ１０５がＨＤＤ１０７にコンピュータ読み取り可能に記録されたプログラムを読み出して実行することにより実現されるものである。
【００６７】
画像処理装置１のＣＰＵ１０５は、まずＳ７０１において、ＨＤＤ１０７に記録されている焦電センサの向き設定の読み出しを行い、Ｓ７０２に処理を進める。
Ｓ７０２では、ＣＰＵ１０５は、ＨＤＤ１０７に記録されている各焦電センサのスリープ復帰動作設定の読み出しを行い、Ｓ７０３に処理を進める。
【００６８】
Ｓ７０３において、ＣＰＵ１０５は、上記Ｓ７０１で読み出した焦電センサの向き設定と、上記Ｓ７０２で読み出した各焦電センサのスリープ復帰動作設定をＨＤＤ１０７の元の領域とは別の領域に記録して、Ｓ７０４に処理を進める。以下、上記元の領域を設定領域と呼び、上記別の領域をバックアップ領域と呼ぶ。
【００６９】
Ｓ７０４において、ＣＰＵ１０５は、人感センサ部１０３から各焦電センサの検知状態の読み出しを行い、Ｓ７０５に処理を進める。
Ｓ７０５では、ＣＰＵ１０５は、ＨＤＤ１０７に記録されている台形画像の中から、焦電センサの向き、スリープ復帰動作設定、及び検知状態に応じた台形画像の読み出しを行い、Ｓ７０６に処理を進める。
【００７０】
Ｓ７０６では、ＣＰＵ１０５は、ＨＤＤ１０７に記録されている画像処理装置とボタン類を含む設定変更画面基本画像の読み出しを行い、Ｓ７０５で読み出した台形画像と合成した画像を生成して、Ｓ７０７に処理を進める。
【００７１】
Ｓ７０７では、ＣＰＵ１０５は、上記Ｓ７０６で生成した合成画像を、ネットワークインタフェース部１０２とＬＡＮを介して、端末装置２に対して送信し、Ｓ７０８に処理を進める。これを受信した端末装置２は、図４（Ｄ）〜（Ｆ）及び図５（Ａ）〜（Ｂ）に示したような設定変更画面Ｄ４４を表示・操作部２０２に表示し、ユーザからの操作を受け付ける。そして、ユーザからの操作があると、端末装置２は、操作情報を画像処理装置１に送信する。なお、端末装置２は、前記操作情報として、人感センサ部１０３の特定の検知領域の設定を、人感センサ部１０３の検知領域を無効にする「検知無効設定」へ設定変更する指示、スリープモードから通常動作モードに遷移する「スリープ復帰有効設定」へ設定変更する指示、スリープモードから操作部のみ動作モードに遷移する「操作部のみスリープ復帰有効設定」へ設定変更する指示や、人感センサ部１０３の焦電センサの向きを変更する指示や、その他の指示などを送信可能である。
【００７２】
Ｓ７０８では、ＣＰＵ１０５は、端末装置２から操作情報を受信したか否かを判定する。
そして、端末装置２から操作情報を受信していないと判定した場合（Ｓ７０８でＮｏの場合）、ＣＰＵ１０５は、Ｓ７０４に処理を進める。
【００７３】
一方、端末装置２から操作情報を受信したと判定した場合（Ｓ７０８でＹｅｓの場合）、ＣＰＵ１０５は、Ｓ７０９に処理を進める。
Ｓ７０９では、ＣＰＵ１０５は、上記Ｓ７０８で受信した操作情報が台形ボタン（人感検知範囲ボタン４４１）のクリックであるかどうかを判定する。
そして、操作情報が台形ボタン（人感検知範囲ボタン４４１）のクリックであると判定した場合（Ｓ７０９でＹｅｓの場合）、ＣＰＵ１０５は、Ｓ７１０に処理を進める。
【００７４】
Ｓ７１０では、ＣＰＵ１０５は、上記Ｓ７０８でクリックされた台形ボタン（人感検知範囲ボタン４４１）に対応する焦電センサのスリープ復帰動作設定を切り替え、その設定をＨＤＤ１０７の設定領域に記録して、Ｓ７０４に処理を進める。このとき、ＣＰＵ１０５は、元のスリープ復帰動作設定の内容に応じて、切り替える内容を制御する。元が「スリープ復帰有効設定」の場合は、「操作部のみスリープ復帰有効設定」に切り替える。元が「操作部のみスリープ復帰有効設定」の場合は、「検知無効設定」に切り替える。元が「検知無効設定」の場合は、「スリープ復帰有効設定」に切り替える。
【００７５】
一方、操作情報が台形ボタン（人感検知範囲ボタン４４１）のクリックでないと判定した場合（Ｓ７０９でＮｏの場合）、ＣＰＵ１０５は、Ｓ７１１に処理を進める。
Ｓ７１１では、ＣＰＵ１０５は、上記Ｓ７０８で受信した操作情報が変更キャンセルボタン４４２のクリックであるか否かを判定する。
【００７６】
そして、操作情報が変更キャンセルボタン４４２のクリックであると判定した場合（Ｓ７１１でＹｅｓの場合）、ＣＰＵ１０５は、Ｓ７１２に処理を進める。
Ｓ７１２では、ＣＰＵ１０５は、上記Ｓ７０２でＨＤＤ１０７のバックアップ領域に記録した焦電センサの向き設定と各焦電センサのスリープ復帰動作設定をＨＤＤ１０７から読み出して、Ｓ７１３に処理を進める。
【００７７】
Ｓ７１３では、ＣＰＵ１０５は、上記Ｓ７１２で読み出した焦電センサの向き設定を、ＨＤＤ１０７の設定領域に記録する。
さらに、Ｓ７１４において、ＣＰＵ１０５は、上記Ｓ７１２で読み出した各焦電センサのスリープ復帰動作設定を、ＨＤＤ１０７の設定領域に記録し、図６に示した人感センサ画面のフローチャートへ処理を進める。
【００７８】
また、上記Ｓ７１１において、操作情報が変更キャンセルボタン４４２のクリックでないと判定した場合（Ｓ７１１でＮｏの場合）、ＣＰＵ１０５は、Ｓ７１５に処理を進める。
【００７９】
Ｓ７１５では、ＣＰＵ１０５は、上記Ｓ７０８で受信した操作情報が内向きに変更ボタン４４４または外向きに変更ボタン４５４のクリックであるか否かを判定する。
そして、操作情報が内向きに変更ボタン４４４または外向きに変更ボタン４５４のクリックであると判定した場合（Ｓ７１５でＹｅｓの場合）、ＣＰＵ１０５は、Ｓ７１６に処理を進める。
【００８０】
Ｓ７１６では、ＣＰＵ１０５は、人感センサ部１０３の焦電センサの向き設定を切り替えて、その設定をＨＤＤ１０７の設定領域に記録して、Ｓ７０４に処理を進める。このとき、ＣＰＵ１０５は、元の焦電センサの向き設定の内容に応じて、切り替える内容を制御する。元が外向きの設定の場合は、内向きの設定に切り替える。元が内向きの設定の場合は、外向きの設定に切り替える。
【００８１】
また、上記Ｓ７１５において、操作情報が内向きに変更ボタン４４４のクリックでも外向きに変更ボタン４５４のクリックでもないと判定した場合（Ｓ７１５でＮｏの場合）、ＣＰＵ１０５は、Ｓ７１７に処理を進める。
【００８２】
Ｓ７１７では、ＣＰＵ１０５は、上記Ｓ７０８で受信した操作情報が決定ボタン４４３のクリックであるか否かを判定する。
そして、操作情報が決定ボタン４４３のクリックでないと判定した場合（Ｓ７１７でＮｏの場合）、ＣＰＵ１０５は、Ｓ７０４に処理を進める。
【００８３】
一方、操作情報が決定ボタン４４３のクリックであると判定した場合（Ｓ７１７でＹｅｓの場合）、ＣＰＵ１０５は、そのまま図６に示した人感センサ画面のフローチャートへ処理を進める。
【００８４】
以上の構成において、本発明による画像処理装置１の動作の一例を以下に説明する。
この例は、画像処理装置１の近くの席で作業をするユーザ３が、画像処理装置１が自分のことを検知してもスリープ復帰動作を行わないように、また、印刷した紙を取りにきたユーザ４を検知した場合には操作部のみ動作モードに遷移するように設定する手順に対応する。
【００８５】
まず、図３（Ａ）の状況で、ユーザ３は、画像処理装置１のリモート操作を開始するため、端末装置２を起動する。端末装置２は前述の通り、ＣＰＵ２０３の制御により、画像処理装置１とＬＡＮを介した通信を開始する。そして、画像処理装置１はＣＰＵ１０５の制御により、端末装置２に対してリモート操作用の画面情報を送信し、また、端末装置２からの操作情報を受信して内部の設定に反映させる動作を、以降のリモート操作が実行されている間に必要に応じ繰り返し行う。
【００８６】
画像処理装置１は、端末装置２に対してリモート操作用の画面（トップ画面Ｄ４１）を送信する。端末装置２は、受信したトップ画面Ｄ４１を表示・操作部２０２の表示装置に表示する。
【００８７】
トップ画面Ｄ４１において、ユーザ３は、人感センサ部１０３の状態を確認するために、状態表示ボタン４１３をクリックする。端末装置２は、ユーザ３の操作情報を画像処理装置１に対して送信する。操作情報を受信した画像処理装置１は、端末装置２に状態表示画面Ｄ４２を送信する。端末装置２は、受信した状態表示画面Ｄ４２を表示・操作部２０２の表示装置に表示する。
【００８８】
状態表示画面Ｄ４２において、ユーザ３は、人感センサの状態を確認するために、人感センサボタン４２３をクリックする。端末装置２は、ユーザ３の操作情報を画像処理装置１に対して送信する。操作情報を受信した画像処理装置１は、端末装置２に人感センサ画面Ｄ４３を送信する。このとき、画像処理装置１は、前述の通り、人感センサ部１０３の複数の焦電センサの位置が画像処理装置１からの相対位置でわかるように、各焦電センサに対応する台形（焦電センサの向きにも対応）を配置した模式図を生成する。さらに、画像処理装置１は、その模式図の台形に、焦電センサの現在の設定を台形の背景として付加し、また、焦電センサの現在の検知状態を斜線で付加して表す。端末装置２は、受信した人感センサ画面Ｄ４３を表示・操作部２０２の表示装置に表示する。
【００８９】
人感センサ画面Ｄ４３を見ることにより、ユーザ３は、人感センサ部１０３の人感検知範囲を画像処理装置１からの相対位置で把握することができ、また、自分が検知範囲内に入っていて焦電センサに検知されていることを理解することができる。なお、この人感センサ画面Ｄ４３は、画像処理装置１のＣＰＵ１０５の制御により、定期的に更新される。
【００９０】
人感センサ画面Ｄ４３において、ユーザ３は、人感センサ部１０３の設定を変更するために、設定変更ボタン４３３をクリックする。端末装置２は、ユーザ３の操作情報を画像処理装置１に対して送信する。操作情報を受信した画像処理装置１は、端末装置２に設定変更画面Ｄ４４（図４（Ｄ））を送信する。このとき、ユーザ３は、自分が動いたときに検知され得る最大の範囲を調べるために、図３（Ｃ）に示すように手を広げる動作を行っており、画像処理装置１は焦電センサの現在の検知状態が変わったことを反映して設定変更画面Ｄ４４（図４（Ｄ））を生成している。端末装置２は、受信した設定変更画面Ｄ４４（図４（Ｄ））を表示・操作部２０２の表示装置に表示する。なお、この設定変更画面Ｄ４４は、画像処理装置１のＣＰＵ１０５の制御により、定期的に更新される。
【００９１】
図４（Ｄ）の設定変更画面Ｄ４４を見ることにより、ユーザ３は、自分が動いたときに検知され得る最大の範囲を知ることができる。ユーザ３は、人感センサ部１０３のセンサ向きを変えるために、内向きに変更ボタン４４４をクリックする。端末装置２は、ユーザ３の操作情報を画像処理装置１に対して送信する。
【００９２】
操作情報を受信した画像処理装置１は、人感センサ部１０３の焦電センサの向きを、より下向きになるように変更し、その向きでの人感検知範囲と人感検知状態を反映した設定変更画面Ｄ４４（図４（Ｅ））を生成し、端末装置２に送信する。端末装置２は、受信した設定変更画面Ｄ４４（図４（Ｅ））を表示・操作部２０２の表示装置に表示する。即ち、設定変更画面Ｄ４４は、人感センサ部１０３の焦電センサの向きが変更されると、画像処理装置１のＣＰＵ１０５の制御により、更新される。
【００９３】
図４（Ｅ）の設定変更画面Ｄ４４を見ることにより、ユーザ３は、人感センサ部１０３の検知範囲が狭くなったことと、人感センサ部１０３のセンサ向きを変えても自分が検知され続けていることを把握することができる。ユーザ３は、人感センサの向きを元に戻すために、外向きに変更ボタン４５４をクリックする。端末装置２は、ユーザ３の操作情報を画像処理装置１に対して送信する。
【００９４】
操作情報を受信した画像処理装置１は、人感センサ部１０３の焦電センサの向きを、より上向きになるように変更し、その向きでの人感検知範囲と人感検知状態を反映した設定変更画面Ｄ４４を生成し、端末装置２に送信する。このとき、ユーザ３は拡げていた手を元に戻しており、また、図３（Ｅ）に示すように別のユーザ４が画像処理装置１に近づいてきており、画像処理装置１は焦電センサの現在の検知状態が変わったことを反映して設定変更画面Ｄ４４（図４（Ｆ））を生成している。端末装置２は、受信した設定変更画面Ｄ４４（図４（Ｆ））を表示・操作部２０２の表示装置に表示する。
【００９５】
図４（Ｆ）の設定変更画面Ｄ４４を見ることにより、ユーザ３は、印刷済みの用紙を取りにきたユーザ４が人感センサ部１０３によって検知されることを確認することができる。ユーザ３は、まず自分の周囲については、人感センサ部１０３による検知でスリープ復帰動作を行わせないように設定するために、これまでの手順で確認した自分の位置に対応する台形（人感検知範囲ボタン４４１）と、その周囲の台形（人感検知範囲ボタン４４１）を２回ずつクリックする。端末装置２は、ユーザ３の操作情報を画像処理装置１に対して送信する。操作情報を受信した画像処理装置１は、クリックされた台形のスリープ復帰動作に関する設定情報を変更して、新しい設定情報に応じた背景の台形で設定変更画面Ｄ４４（図５（Ａ））を生成する。端末装置２は、受信した設定変更画面Ｄ４４（図５（Ａ））を表示・操作部２０２の表示装置に表示する。即ち、設定変更画面Ｄ４４は、人感センサ部１０３の焦電センサのスリープ復帰動作設定が変更されると、画像処理装置１のＣＰＵ１０５の制御により、更新される。
【００９６】
図５（Ａ）の設定変更画面Ｄ４４を見ることにより、ユーザ３は、自分の周囲が人感センサによる検知でスリープ復帰動作を行わない設定になったことを確認することができる。ユーザ３は、次に、印刷した紙を取りにきたユーザ４が人感センサによって検知されたときに操作部のみ動作モードに遷移するように設定を変更するために、ユーザ４の現在の位置に対応する台形（人感検知範囲ボタン４４１）と、そこにくるまでに通る位置に対応する台形（人感検知範囲ボタン４４１）を１回ずつクリックする。端末装置２は、ユーザ３の操作情報を画像処理装置１に対して送信する。操作情報を受信した画像処理装置１は、クリックされた台形のスリープ復帰動作に関する設定情報を変更して、新しい設定情報に応じた背景の台形で設定変更画面Ｄ４４（図５（Ｂ））を生成し、端末装置２に送信する。端末装置２は、受信した設定変更画面Ｄ４４（図５（Ｂ））を表示・操作部２０２の表示装置に表示する。
【００９７】
図５（Ｂ）の設定変更画面Ｄ４４を見ることにより、ユーザ３は、ユーザ４の位置が人感センサによる検知で操作部のみ動作モードに遷移する設定になったことを確認することができる。ユーザ３は、人感センサの設定が希望通りにできたことを確認して、この設定を確定させるために決定ボタン４４３をクリックする。端末装置２は、ユーザ３の操作情報を画像処理装置１に対して送信する。操作情報を受信した画像処理装置１は、端末装置２に人感センサ画面Ｄ４３（図５（Ｃ））を送信する。端末装置２は、受信した人感センサ画面Ｄ４３（図５（Ｃ））を表示・操作部２０２の表示装置に表示する。
【００９８】
以上に示すように、ユーザ３は、端末２２から、リモート操作を使って、人感センサ部１０３の検知範囲を画像処理装置１からの相対位置で確認しながら、人感センサ部１０３によるスリープ復帰動作がユーザの意図に合う状態であるかどうか確認することができる。
【００９９】
また、ユーザ３は、検知したい場所と検知したくない場所に移動して、ここでは特に手を広げる動作を行うことによって、その場所が期待する検知範囲に含まれるかどうかを確認することができる。例えば、端末装置２としてノートＰＣ、タブレットＰＣ、スマートフォン等の携帯端末を用いた場合、ユーザは携帯端末を持って画像処理装置１の周りを移動しながら、人感センサ部１０３の向きの設定やスリープ復帰動作設定を行うことができる。このようにして設定することで、画像処理装置１がより確実にユーザの意図通りに動作するように、人感センサ部１０３の設定を行うことができる。なお、上記人感センサ部１０３の設定は、表示・操作部１０４からも行うことができるようにしてもよい。特に、表示・操作部１０４が、画像処理装置１本体から着脱可能な場合には、上記携帯端末による操作と同様の効果を奏する。
【０１００】
さらに、人感センサ部１０３の検知によるスリープ復帰動作の内容を設定することで、人感センサの有効と無効を指定でき、また、人感センサが人を検知した場合の動作を指定でき、ユーザは容易に期待する通りの検知範囲に調節することができる。なお、本実施例では、「操作部のみスリープ復帰有効設定」を設ける構成について説明したが、操作部のみに限定されるものではなく、特定の人感センサが人を検知した場合に画像処理装置１の特定部分を復帰させる他の設定を設けてもよい。例えば、特定の人感センサが人を検知した場合に、表示・操作部１０４及び画像読み取り部１０１を復帰させるような設定を設けてもよい。
【０１０１】
なお、人感センサ部１０３の複数の人感センサの向きを変更すると、各人感センサのスリープ復帰動作設定をリセットするようにしてもよいし、そのまま保持するようにしてもよい。例えば、画像処理装置１において、人感センサの向き毎に、各人感センサのスリープ復帰動作設定を保持可能に構成し、人感センサの向きを変更すると、その向きに対応する各人感センサのスリープ復帰動作設定を有効にするように構成する。この設定の場合、人感センサの向きを元に戻すと、各人感センサのスリープ復帰動作設定も、変更後の向きで以前設定されていた設定に戻るように構成する。
【０１０２】
また、画像処理装置１において、人感センサの向きの設定と、各人感センサのスリープ復帰動作設定をそれぞれ独立に保持する構成し、人感センサの向きが変更されても、各人感センサのスリープ復帰動作設定は向き変更前と同一とするように構成する。
さらに、人感センサ部１０３の各人感センサの感度も変更可能に構成してもよい。
【０１０３】
以上説明したように、本発明によれば、人感センサの検知範囲を画像処理装置からの相対位置で確認することができるため、人感センサを利用した制御動作がユーザの意図に合わない状態であることにユーザが気付くことができる。
【０１０４】
また、現在の人感センサの反応状態をリモート操作部で見ることができるため、検知したい場所や検知したくない場所に移動してリモート操作部を見ることで、その場所がユーザの期待する検知範囲の内か外かを確認することができる。
【０１０５】
さらに、ユーザはその場所でリモート操作部を操作して人感センサの有効、無効、操作部のみ復帰等のスリープ復帰動作設定を指定できるため、ユーザは容易に期待する通りの検知範囲に調節することができる。
【０１０６】
なお、人感センサの検知範囲の確認は、人感センサ部１０３で人を検知すると画像処理装置に設けられたＬＥＤを点灯させる等して検知を認知させる方法も考えられる。しかし、この方法では、人感センサ部１０３のどの人感センサが検知したかが不明であったり、分かりにくかったりするため、あまり有効とは考えられない。これに対して、本発明では、リモート操作部において、どの人感センサが検知したかを明確に認知でき、ユーザは確実に、人感センサの設定を行うことができる。
【０１０７】
よって、人感センサの検知範囲を、ユーザが目に見て容易に確認し、人感センサの向きや、検知した場合の動作設定を容易に変更することができる。このため、ユーザの期待通りに、より確実に、装置を利用したいユーザが装置に近づいた場合に検知して復帰し、逆に、装置の傍を通っただけの人の検知を抑えてスリープ維持する制御を行うことができる。
【０１０８】
以上示したように、本発明によれば、人感センサの検知範囲を画像処理装置からの相対位置で確認することで人感センサを利用した制御動作がユーザの意図に合わない状態となったことを認知でき、人感センサの検知範囲を適切な状態に調整し、人感センサを利用した制御動作をユーザの意図する状態に調整することができる。
このように、人感センサの検知範囲を本体との相対位置でわかるようにリモートＵＩに表示し、その場で設定できるようにすることにより、目に見えない人感センサの検知範囲の確認と調節を簡単に行うことができる。
【０１０９】
なお、本実施例では、本発明の技術を画像処理装置の電源制御に利用したが、他の電子機器の電源制御に用いてもよい。
例えば、来客者に応じてコンテンツを表示して来客者に情報を提示する情報処理装置（例えば、企業のロビー、観光地等に設置してある案内目的の情報処理装置）等に適用してもよい。このような情報処理装置では、来客者が検知された場合に、情報処理装置をスリープ状態から通常状態に復帰させて、所定のコンテンツ（案内や観光情報等）を表示する等の制御を行うことが考えられ、人感センサの検知範囲に関して上記実施例で示した画像処理装置と同様の課題を有するものと考えられる。このような情報処理装置に本発明を適用することにより、人感センサの検知範囲を情報処理装置からの相対位置で確認することで人感センサを利用した制御動作がユーザの意図に合わない状態となったことを認知でき、人感センサの検知範囲を適切な状態に調整し、人感センサを利用した制御動作をユーザの意図する状態に調整することが可能となる。また、このような情報処理装置において、特定の領域（装置正面等）で人が検知された場合には、スリープ復帰してコンテンツ表示まで行うが、他の領域（装置の側面等）で人が検知された場合には、スリープ復帰のみを行うようにすることも可能である。
【０１１０】
また、本発明をカメラに適用してもよい。これにより、カメラに備えられたセンサにより特定の領域（例えば監視の必要性がある領域）で人が検知された場合には、カメラをスリープ復帰して撮影、録画まで行うが、他の領域で人が検知された場合には、カメラのスリープ復帰のみを行うようにすることも可能である。
【０１１１】
また、人を検知して各種動作を行う家電、例えば、エアコン、テレビ、照明器具等にも本発明を適用可能である。
【０１１２】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１１３】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１１４】
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１５】
１０１    画像読み取り部
１０２    ネットワークインタフェース部
１０３    人感センサ部
１０４    表示・操作部
１０５    ＣＰＵ
１０６    メモリ
１０７    ＨＤＤ
１０８    画像印刷部
１０９    データバス
１１０    電源制御部
【図１】
2014109723.tif 000003
【図２】
2014109723.tif 000004
【図３】
2014109723.tif 000005
【図４】
2014109723.tif 000006
【図５】
2014109723.tif 000007
【図６】
2014109723.tif 000008
【図７】
2014109723.tif 000009